(57)【要約】【課題】  建設分野において情報処理装置を安定に保持することを可能とし、作業者の腕の機能制限を最小限とする、情報処理装置のキャリングケースおよび屋外保持方法を提供する。【解決手段】  本発明のキャリングケース１０は、情報処理装置を収容し、対向する２つの端部に配置された留めリングを備えた収容ケース１２と、対向する側部の２つの留めリングにそれぞれ係合された吊り下げベルト１６とを備え、吊り下げベルト１６が作業者の背部ごしに両肩を収容する隙間を形成している。作業者４２は、キャリングケースの吊り下げベルト１６を、背部を含む両肩に掛け渡してキャリングケースを、両腕の機能制限を最小とさせつつ、情報処理装置を屋外で安定に保持および操作可能としている。【選択図】  図４
2005276006.tif 000002
【特許請求の範囲】
【請求項１】
情報処理装置を収容し、対向する２つの端部に配置された留めリングを備えた収容ケースと、前記２つの留めリングにそれぞれ係合された吊り下げベルトとを備え、前記吊り下げベルトが固定部の周りに背部ごしに両肩を収容する隙間を形成する情報処理装置用キャリングケース。
【請求項２】
情報処理装置を収容した請求項１のキャリングケースの吊り下げベルトを、背部を含む両肩に掛け渡してキャリングケースを保持する情報処理装置の屋外保持方法。
【発明の詳細な説明】
【技術分野】
【０００１】
本発明は、情報処理装置の屋外保持に関し、より詳細には、建設分野において情報処理装置を安全・確実に保持すると共に、簡単かつ確実な入力操作を可能とする情報処理装置のキャリングケースおよび屋外保持方法に関する。
【背景技術】
【０００２】
近年では、建設分野においても、コンピュータに直接入力を行い、データを解析したり、現場監理のためのデータを直接入力または取得して、遠隔した監理部門に送信することにより、メモ書きなどに依存せず直接的に現場監理データを取得するなど、種々の用途において携帯型の情報処理装置が利用されている。このような携帯型の情報処理装置としては、ペン入力を行う液晶表示画面を備える所謂、タブレット型ＰＣや、小型のノートブック型またはパームトップ型のパーソナル・コンピュータなどを挙げることができる。建設分野は、起伏の多いフィールドにおいて施工監理や施工チェックを行わなければならない場合もあり、また、床面上に建設資材などが置かれていたり、頭上の直上に梁が掛け渡されていたりする場合が多い。
【０００３】
従来では、建設分野に情報処理装置を携行する場合、作業者の両手のうちの一方がふさがってしまうことになっていた。建設分野では、少なくとも片手が情報処理装置の携行のため機能が制限されたり、入力操作のために片手で情報処理装置を支え、他の片手で入力操作を行うなど、両手の機能が制限された状態にあると、例えば、つまづきや転倒の際の防御動作や、飛来物の回避行動などが制限され、予期せぬ事態が発生することも想定される。これまで、作業者の手を使用せずに携行するため、図５に示すように、肩から情報処理装置を掛下げるキャリングベルトを備えた情報処理装置も知られている（特許文献１）。開示された従来例は、キャリングベルト１００と、コンピュータ本体１０２に結合されるフック１０４と、フック１０４とキャリングベルト１００とを連結する、連結部分１０６とを含んだ構成とされている。図５に示されるように、キャリングベルト１００は、連結部分１０６にわたって移動可能に構成されているので、使用状態の情報処理装置は不安定であり、作業者の一方の手により支えられていない場合には、情報処理装置への良好な入力作業を行うことができないという不都合があった。また、情報処理装置の荷重が作業者の頸部に集中するため、長時間の作業を必要とする建設分野における保持方法としては充分ではないという不都合もあった。
【０００４】
【特許文献１】実開平４−７９４７９号公報
【発明の開示】
【発明の効果】
【０００５】
本発明によれば、建設分野において、作業者の両手の機能制限を最小限としつつ、その建設分野における入力操作の作業性を長期間にわたり確保することを可能とする、情報処理装置用のキャリングケースおよび屋外保持方法を提供することができる。
【発明が解決しようとする課題】
【０００６】
すなわち、これまで、建設分野において情報処理装置を安定に保持することを可能とし、同時に入力動作を行っている場合にでも作業者の腕の機能制限を最小限とする、情報処理装置のキャリングケースおよび屋外保持方法が必要とされていた。
【０００７】
本発明は、上記従来技術の不都合に鑑みてなされたものであり、本発明は、建設分野において情報処理装置を安定に保持することを可能とし、同時に入力動作を行っている場合にでも作業者の腕の機能制限を最小限とする、情報処理装置のキャリングケースおよび屋外保持方法を提供することを目的とする。
【課題を解決するための手段】
【０００８】
本発明の上記課題は、本発明のキャリングケースおよび屋外保持方法を提供することにより解決される。
【０００９】
すなわち、本発明の請求項１の発明によれば、情報処理装置を収容し、対向する２つの端部に配置された留めリングを備えた収容ケースと、前記２つの留めリングにそれぞれ係合された吊り下げベルトとを備え、前記吊り下げベルトが固定部の周りに背部ごしに両肩を収容する隙間を形成する情報処理装置用キャリングケースが提供される。
【００１０】
また、本発明の請求項２の発明によれば、情報処理装置を収容した請求項１のキャリングケースの吊り下げベルトを、背部を含む両肩に掛け渡してキャリングケースを保持する情報処理装置の屋外保持方法が提供される。
【発明を実施するための最良の形態】
【００１１】
図１は、本発明のキャリングケース１０の概略的な斜視図を示す。キャリングケース１０は、収容ケース１２と、吊り下げベルト１６とを含んで構成されている。収容ケース１２は、収容ケース１２の対向する２つの側部に取り付けられた留めリング１４を備えている。留めリング１４は、収容部材１２の対向する２つの端部に２個づつ備えられていて、吊り下げベルト１６の端部に設けられたフック１８を係合して、吊り下げベルト１６の４つのフック１８により４点支持が可能としている。吊り下げベルト１６は、互いに２本のベルト１６ａ、１６ｂから構成されていて、図示した実施の形態では、ベルト１６ａ、１６ｂは、ベルト１６ａ、１６ｂのそれぞれ略中央部の固定部２０において固定されている。
【００１２】
固定部２０は、２つのベルト１６ａ、１６ｂを中央付近で縫い合わせておくこともできるし、ベルト１６ａ、１６ｂの中央部に互いに対面する箇所に、係合フックやマジックテープなどの固定手段を設けておき、着脱自在に相互に固定できるようにされていても良い。この場合、ベルト１６ａ、１６ｂは、たすきがけ状に収容ケース１２に係合されても良いし、各ベルトが交差しない状態で、留めリング１４に係合されてもよい。また、ベルト１６ａ、１６ｂは、固定部２０の付近に、作業者の背中ごしに両肩を収容することができる隙間を形成している。ベルト１６ａ、１６ｂには、作業者の必要に応じて長さを調節することができるように、長さ調節のための調節金具２２が備えられている。
【００１３】
また、収容ケース１２および吊り下げベルト１６は、概ね軽量で、かつ柔軟性のある合成繊維やプラスチックなどの材料から形成されており、情報処理装置２４を収容する収容部２６と、収容部を覆うためのカバー２８とを含んで構成されている。収容部２６には、図示した実施の形態では、情報処理装置２４の表示画面を露出させるための開口部３０が形成されていて、作業者による入力操作が可能とされている。
【００１４】
図２には、情報処理装置を取り去った状態での本発明のキャリングケース１０の分解斜視図を示す。図２に示すように、収容ケース１２は、底板部材２６ａと、側板部材２６ｂ〜２６ｅと、開口部３０を形成すると共に情報処理装置を固定するための突出部を形成する天板部材２６ｆ、２６ｇとを備えており、これらの部材２６ａから２６ｇが収容部２６の主要部を画成している。また、図示する実施の形態においては、底板部材２６ａの外側端部には留めリング１４が固定されている。側板部材２６ｅは、図面中、上端部が固定され、他端が固定されておらず、移動可能に構成されていて、情報処理装置の出し入れが可能とされている。側板部材には、操作性を損なわない位置に、入力ペンなどを収容するホルダーが設けられていて、入力ペンの携行性を向上させている。
【００１５】
また、カバー２８は、底板部材２６ａの縁部から延びていて、矢線Ａで示される方向に移動して情報処理装置の入力を行わない場合や、携行時に、開口部３０を覆い、収容部２６の前端で、側板部材２６ｄに固定することができる長さとされている。また、カバー２８の底板部材２６ａと、カバー２８とが接続される部分は、収容ケースの厚さよりも長く、かつ屈曲可能に形成され、さらに概ね収容ケースの厚さに相当する位置においてさらに屈曲性を付与された屈曲部２８ａが形成されている。この屈曲部２８ａは、情報処理装置を収容し、屋外作業時に、収容した情報処理装置が飛び出さないように、２重折りされて、側板部材２６ｅの外側面に、例えばマジックテープといった固定手段により固定され、作業時における情報処理装置の収容性を向上させている。さらに、カバー２８は、屋外作業においては、図１に示した実施の形態では、作業性を損なわないように、収容部２６の前端付近の底板部材２６ａの裏面に、例えばマジックテープ２６ｈ、２６ｉといった固定手段により固定されている。
【００１６】
図３には、本発明において使用することのできる情報処理装置２４の概略的な斜視図を示す。図３（ａ）がタブレット型ＰＣ３２の実施の形態であり、図３（ｂ）がノートブック型ＰＣ３４の実施の形態である。本発明のキャリングケース１０を、図３（ａ）に示したタブレット型ＰＣ３２に対して使用する場合には、天板部材２６ｆ、２６ｇの形成する開口部３０が表示入力画面を遮らず、また適切にタブレット型ＰＣ３２を保持することができる限り、特にタブレット型ＰＣには制限はない。また、本発明のキャリングケース１０をノートブック型ＰＣ３４について使用する場合には、天板部材２６ｆ、２６ｇが、キーボード３６を遮らず、またノートブック型ＰＣの液晶表示パネル３８の開閉を可能にする寸法とされている限り、特にノートブック型ＰＣには制限はない。また、本発明の特定の実施の形態では、ノートブック型ＰＣ３４のキャリングケース１０への装着時に、液晶表示パネル３８と筐体部４０との間に天板部材２６ｆ、２６ｇが延びるように、天板部材２６ｆ、２６ｇを形成することにより、キャリングケース１０へのノートブック型ＰＣの装着時における液晶表示パネルの開閉動作への影響を少なくすることもできる。
【００１７】
図４は、本発明のキャリングケース１０を、作業者４２が装着して、例えば、土木現場や、建築現場において保持している実施の形態を示した図である。図４に示されるように、キャリングケース１０の吊り下げベルト１６の固定部を中心として形成された隙間に作業者４２の両肩が挿入され、吊り下げベルト１６が肩ごしに収容ケース１２を４点支持しているのが示されている。また、情報処理装置を保持していても、作業者の両腕が自由な状態で、情報処理装置が堅固に、特に、作業者の視線方向に対して安定に保持されているのが示されている。
【産業上の利用可能性】
【００１８】
上述したように、本発明のキャリングケースは、建設分野において情報処理装置を安定に保持することを可能とし、同時に入力動作を行っている場合にでも作業者の腕の機能制限を最小限とする、情報処理装置のキャリングケースおよび屋外保持方法を提供することにより、建設分野における作業性および安全性を向上することができる。
【図面の簡単な説明】
【００１９】
【図１】本発明のキャリングケースの概略的な斜視図。
【図２】本発明のキャリングケースの概略的な分解斜視図。
【図３】本発明のキャリングケースに収容される情報処理装置の実施の形態を示した図。
【図４】本発明のキャリングケースおよび屋外保持方法の実施の形態を示した図。
【図５】キャリング可能な従来の情報処理装置を示した図。
【符号の説明】
【００２０】
１０…キャリングケース
１２…収容ケース
１４…留めリング
１６…吊り下げベルト
１６ａ、１６ｂ…ベルト
１８…フック
２０…固定部
２２…調節金具
２４…情報処理装置
２６…収容部
２８…カバー
３０…開口部
３２…タブレット型ＰＣ
３４…ノートブック型ＰＣ
３６…キーボード
３８…液晶表示パネル
４０…筐体部
４２…作業者
【図１】
2005276006.tif 000003
【図２】
2005276006.tif 000004
【図３】
2005276006.tif 000005
【図４】
2005276006.tif 000006
【図５】
2005276006.tif 000007